【手続補正書】
【提出日】令和1年7月1日(2019.7.1)
【手続補正１】
【補正対象書類名】特許請求の範囲
【補正対象項目名】全文
【補正方法】変更
【補正の内容】
【特許請求の範囲】
【請求項１】
ユーザ指示に従って、所定の画像処理で使用される処理パラメータを設定する第１設定手段と、
前記第１設定手段で設定された前記処理パラメータを用いて、入力画像データに前記所定の画像処理を施すことにより、処理画像データを生成する処理手段と、
前記処理画像データに基づく画像を、前記入力画像データの輝度レンジとは異なる輝度レンジで表示部に表示する複数の表示モードのうちユーザに指定された表示モードを設定する第２設定手段と、
前記第１設定手段で設定された前記処理パラメータとともに、前記第２設定手段で設定された前記表示モードに関する情報を記憶媒体に記録する記録手段と、
を有することを特徴とする表示制御装置。
【請求項２】
前記第２設定手段によって２つ以上の表示モードが設定された場合に、
前記第１設定手段は、前記２つ以上の表示モードにそれぞれ対応する２つ以上の処理パラメータを個別に設定し、
前記記録手段は、前記第１設定手段で設定された前記２つ以上の処理パラメータとともに、前記第２設定手段で設定された前記２つ以上の表示モードに関する情報を前記記憶媒体に記録する
ことを特徴とする請求項１に記載の表示制御装置。
【請求項３】
前記第２設定手段で設定された前記表示モードが、一部の画像領域を他の画像領域よりも高い輝度で表示するブースト表示モードである場合に、前記第１設定手段は、前記一部の画像領域について処理パラメータを設定する
ことを特徴とする請求項１または２に記載の表示制御装置。
【請求項４】
前記一部の画像領域として複数の画像領域が使用された場合に、前記第１設定手段は、前記複数の画像領域にそれぞれ対応する複数の処理パラメータを個別に設定する
ことを特徴とする請求項３に記載の表示制御装置。
【請求項５】
前記記録手段は、前記処理パラメータとともに、前記入力画像データの色空間に関する
情報と、前記表示部の表示性能に関する情報との少なくとも一方を前記記憶媒体にさらに記録する
ことを特徴とする請求項１〜４のいずれか１項に記載の表示制御装置。
【請求項６】
前記複数の表示モードは、前記入力画像データの輝度レンジの全体を圧縮して画像表示を行う圧縮表示モードを含む
ことを特徴とする請求項１〜５のいずれか１項に記載の表示制御装置。
【請求項７】
前記複数の表示モードは、前記入力画像データの輝度レンジの一部に対応する画像データを、設定された輝度レンジで表示し、且つ、前記入力画像データの輝度レンジの前記一部に対応しない画像データを、所定の輝度にクリップして表示するクリップ表示モードを含む
ことを特徴とする請求項１〜５のいずれか１項に記載の表示制御装置。
【請求項８】
前記複数の表示モードは、
一部の画像領域を他の画像領域よりも高い輝度で表示する表示モード、
発光部と、前記発光部からの光を透過することで画像を表示する表示パネルとを有する前記表示部の前記発光部の発光輝度を設定された発光輝度に制御して画像を表示する表示モード、または、
画面の複数の領域にそれぞれ対応する複数の発光部と、前記複数の発光部からの光を透過することで画像を表示する表示パネルとを有する前記表示部の各発光部の発光輝度を個別に制御して画像を表示する表示モード
をさらに含む
ことを特徴とする請求項６または７に記載の表示制御装置。
【請求項９】
前記情報は、前記第２設定手段で設定された前記表示モードにおいて使用される表示パラメータを含む
ことを特徴とする請求項１〜８のいずれか１項に記載の表示制御装置。
【請求項１０】
前記圧縮表示モードで使用される表示パラメータは、圧縮された後の輝度レンジを示すパラメータを含む
ことを特徴とする請求項６に記載の表示制御装置。
【請求項１１】
前記クリップ表示モードで使用される表示パラメータは、前記入力画像データの輝度レンジの前記一部を示すパラメータと、前記設定された輝度レンジを示すパラメータとを含む
ことを特徴とする請求項７に記載の表示制御装置。
【請求項１２】
前記記録手段は、前記第２設定手段で設定される表示モードが変更されたことに応じて前記処理パラメータを前記記憶媒体に記録する
ことを特徴とする請求項１〜１１のいずれか１項に記載の表示制御装置。
【請求項１３】
前記入力画像データは動画像データであり、
前記表示制御装置は、前記表示部で表示されたフレームを静止画像データとして生成する生成手段、をさらに有し、
前記記録手段は、前記処理パラメータとともに前記静止画像データを前記記憶媒体に記録する
ことを特徴とする請求項１〜１２のいずれか１項に記載の表示制御装置。
【請求項１４】
前記所定の画像処理は、色または輝度に関する画像処理を含む
ことを特徴とする請求項１〜１３のいずれか１項に記載の表示制御装置。
【請求項１５】
前記所定の画像処理は、ＡＳＣ  ＣＤＬ（Ｔｈｅ  Ａｍｅｒｉｃａｎ  Ｓｏｃｉｅｔｙ
ｏｆ  Ｃｉｎｅｍａｔｏｇｒａｐｈｅｒｓ  Ｃｏｌｏｒ  Ｄｅｃｉｓｉｏｎ  Ｌｉｓｔ）で定義された画像処理を含む
ことを特徴とする請求項１〜１４のいずれか１項に記載の表示制御装置。
【請求項１６】
入力画像データに基づく画像を、前記入力画像データの輝度レンジとは異なる輝度レンジで表示部に表示する複数の表示モードのうちユーザに指定された表示モードを設定する設定手段と、
前記設定手段で設定された前記表示モードで、動画像データに基づく動画を前記表示部に表示するための表示制御を行う制御手段と、
前記表示部で表示されたフレームを静止画像データとして生成する生成手段と、
前記設定手段で設定された前記表示モードに関する情報と、前記静止画像データとを互いに関連付けて記憶媒体に記録する記録手段と、
を有することを特徴とする表示制御装置。
【請求項１７】
請求項１〜１５のいずれか１項に記載の表示制御装置とは異なる表示制御装置であって、
請求項１〜１５のいずれか１項に記載の前記表示制御装置により記録された、表示モードに関する情報を取得する取得手段と、
入力画像データに基づく画像を表示部に表示するための表示制御を、前記情報に基づいて行う制御手段と、
を有することを特徴とする表示制御装置。
【請求項１８】
前記情報に複数の表示モードが関連していた場合において、前記表示制御は、前記情報に関連した１つ以上の表示モードにそれぞれ対応する１つ以上の画像を前記表示部に表示するための表示制御である
ことを特徴とする請求項１７に記載の表示制御装置。
【請求項１９】
ユーザ指示に従って、所定の画像処理で使用される処理パラメータを設定する第１設定ステップと、
前記第１設定ステップで設定された前記処理パラメータを用いて、入力画像データに前記所定の画像処理を施すことにより、処理画像データを生成する処理ステップと、
前記処理画像データに基づく画像を、前記入力画像データの輝度レンジとは異なる輝度レンジで表示部に表示する複数の表示モードのうちユーザに指定された表示モードを設定する第２設定ステップと、
前記第１設定ステップで設定された前記処理パラメータとともに、前記第２設定ステップで設定された前記表示モードに関する情報を記憶媒体に記録する記録ステップと、
を有することを特徴とする表示制御方法。
【請求項２０】
入力画像データに基づく画像を、前記入力画像データの輝度レンジとは異なる輝度レンジで表示部に表示する複数の表示モードのうちユーザに指定された表示モードを設定する設定ステップと、
前記設定ステップで設定された前記表示モードで、動画像データに基づく動画を前記表示部に表示するための表示制御を行う制御ステップと、
前記表示部で表示されたフレームを静止画像データとして生成する生成ステップと、
前記設定ステップで設定された前記表示モードに関する情報と、前記静止画像データとを互いに関連付けて記憶媒体に記録する記録ステップと、
を有することを特徴とする表示制御方法。
【請求項２１】
請求項１９または２０に記載の表示制御方法の各ステップをコンピュータに実行させるためのプログラム。
【手続補正２】
【補正対象書類名】明細書
【補正対象項目名】００１８
【補正方法】変更
【補正の内容】
【００１８】
本発明の第１の態様は、
ユーザ指示に従って、所定の画像処理で使用される処理パラメータを設定する第１設定手段と、
前記第１設定手段で設定された前記処理パラメータを用いて、入力画像データに前記所定の画像処理を施すことにより、処理画像データを生成する処理手段と、
前記処理画像データに基づく画像を、前記入力画像データの輝度レンジとは異なる輝度レンジで表示部に表示する複数の表示モードのうちユーザに指定された表示モードを設定する第２設定手段と、
前記第１設定手段で設定された前記処理パラメータとともに、前記第２設定手段で設定された前記表示モードに関する情報を記憶媒体に記録する記録手段と、
を有することを特徴とする表示制御装置である。
【手続補正３】
【補正対象書類名】明細書
【補正対象項目名】００１９
【補正方法】変更
【補正の内容】
【００１９】
本発明の第２の態様は、
入力画像データに基づく画像を、前記入力画像データの輝度レンジとは異なる輝度レンジで表示部に表示する複数の表示モードのうちユーザに指定された表示モードを設定する設定手段と、
前記設定手段で設定された前記表示モードで、動画像データに基づく動画を前記表示部に表示するための表示制御を行う制御手段と、
前記表示部で表示されたフレームを静止画像データとして生成する生成手段と、
前記設定手段で設定された前記表示モードに関する情報と、前記静止画像データとを互いに関連付けて記憶媒体に記録する記録手段と、
を有することを特徴とする表示制御装置である。
【手続補正４】
【補正対象書類名】明細書
【補正対象項目名】００２１
【補正方法】変更
【補正の内容】
【００２１】
本発明の第４の態様は、
ユーザ指示に従って、所定の画像処理で使用される処理パラメータを設定する第１設定ステップと、
前記第１設定ステップで設定された前記処理パラメータを用いて、入力画像データに前記所定の画像処理を施すことにより、処理画像データを生成する処理ステップと、
前記処理画像データに基づく画像を、前記入力画像データの輝度レンジとは異なる輝度レンジで表示部に表示する複数の表示モードのうちユーザに指定された表示モードを設定する第２設定ステップと、
前記第１設定ステップで設定された前記処理パラメータとともに、前記第２設定ステップで設定された前記表示モードに関する情報を記憶媒体に記録する記録ステップと、
を有することを特徴とする表示制御方法である。
【手続補正５】
【補正対象書類名】明細書
【補正対象項目名】００２２
【補正方法】変更
【補正の内容】
【００２２】
本発明の第５の態様は、
入力画像データに基づく画像を、前記入力画像データの輝度レンジとは異なる輝度レンジで表示部に表示する複数の表示モードのうちユーザに指定された表示モードを設定する設定ステップと、
前記設定ステップで設定された前記表示モードで、動画像データに基づく動画を前記表示部に表示するための表示制御を行う制御ステップと、
前記表示部で表示されたフレームを静止画像データとして生成する生成ステップと、
前記設定ステップで設定された前記表示モードに関する情報と、前記静止画像データとを互いに関連付けて記憶媒体に記録する記録ステップと、
を有することを特徴とする表示制御方法である。
【手続補正６】
【補正対象書類名】明細書
【補正対象項目名】００６４
【補正方法】変更
【補正の内容】
【００６４】
そして、Ｓ４０３にて、ユーザが、オンセットディスプレイ装置１０１に対して表示モード変更操作（表示モードの変更を指示するユーザ操作）を行う。例えば、ユーザは、入力画像データの輝度レンジ全体が使用される圧縮モードで仮カラーグレーディングを行うことで、処理パラメータを大まかに決定する。その後、ユーザは、入力画像データの輝度レンジの一部が抽出されて使用されるクリップモードへ表示モードが変更されるように、表示モード変更操作を行う。そして、ユーザは、クリップモードで仮カラーグレーディングを行うことで、処理パラメータを詳細に決定する。なお、「表示パラメータが互いに異なる複数の表示モード」は、「互いに異なる複数の表示モード」とも言える。そのため、表示モードの変更が表示パラメータの変更の場合もある。表示モード変更操作が行われた場合には、Ｓ４０４〜Ｓ４０８の処理が行われ、表示モード変更操作が行われなかった場合には、Ｓ４０９へ処理が進められる。
【手続補正７】
【補正対象書類名】明細書
【補正対象項目名】０１５５
【補正方法】変更
【補正の内容】
【０１５５】
なお、ブースト領域追加操作の代わりに、ブースト領域切替操作が行われてもよい。ブースト領域切替操作は、エミュレート表示を実現するブースト領域を他のブースト領域へ
切り替えるためのユーザ操作である。ブースト領域切替操作が行われた場合には、Ｓ１４０１で選択されたブースト領域におけるエミュレート表示から、ブースト領域切替操作に応じた切り替え後のブースト領域におけるエミュレート表示へ、編集ディスプレイ装置１０２の表示が更新される。
【手続補正８】
【補正対象書類名】明細書
【補正対象項目名】０２２２
【補正方法】変更
【補正の内容】
【０２２２】
本実施例によれば、キャプチャ画像データ、表示輝度、及び、ＬＤ制御値を互いに関連付けて記憶部に記録し、キャプチャ画像データの再生時に、記録された表示輝度と、記録されたＬＤ制御値を使用する、という簡易な方法で画像が表示される。それにより、過去の表示モードでの表示に類似した表示を容易に実現することができる。具体的には、キャプチャ画像データの再生時に、キャプチャ画像データの生成時と同じ輝度に各発光部の発光輝度を制御するＬＤ制御表示を容易に行うことができる。